(57)【要約】【課題】  マルチステージ干渉キャンセラを適用した無線通信システムにおいて、伝搬状況の追従性を良くすることにより伝送効率を改善することが可能な適応変調方式を提供する。【解決手段】  マルチステージ干渉キャンセラの第１ステージのＩＣＵ１０１ａ〜１０１ｃで求めたＳＩＲ１と、干渉キャンセル後の受信部１０２ａ〜１０２ｃで求めたＳＩＲ２との履歴を、ＭＣＳ（Modulation and Code Scheme）決定部１２０ａ〜１２０ｃにおけるメモリ１１５において保持しておき、最新の第１ステージのＳＩＲが、メモリ１１５に保持しておいた第１ステージのＳＩＲと一致した場合には、保持しておいた受信部で求めたＳＩＲ２を用いて変調パラメータＭＣＳを決定する。【選択図】      図１
2006211063.tif 000002
【特許請求の範囲】
【請求項１】
伝搬路状態に適応して送信信号の変調方式と符号化率のパラメータであるＭＣＳ（Modulation and Code Scheme）を変更して通信を行う適応変調装置であって、
受信信号から干渉を除去する複数ステージの干渉除去手段と、
前記干渉除去手段による干渉除去後の信号の受信処理をなす受信手段と、
前記干渉除去手段の第１ステージで求められた第一のＳＩＲ（信号電力対干渉電力比）と、干渉後の受信部で求められた第二のＳＩＲとに基づいて前記ＭＣＳを決定するＭＣＳ決定手段と、
を含むことを特徴とする適応変調装置。
【請求項２】
前記ＭＣＳ決定手段は、前記第一のＳＩＲとこの第一のＳＩＲに対応する前記第二のＳＩＲとの対を履歴として格納するメモリ手段を有し、現在の前記第一のＳＩＲを基に前記メモリ手段を参照して前記ＭＣＳを決定するようにしたことを特徴とする請求項１記載の適応変調装置。
【請求項３】
前記ＭＣＳ決定手段は、現在の第一のＳＩＲが前記メモリ手段内の前記第一のＳＩＲと一致した場合、この第一のＳＩＲと対となる前記第二のＳＩＲを使用して前記ＭＣＳを決定することを特徴とする請求項２記載の適応変調装置。
【請求項４】
前記ＭＣＳ決定手段は、現在の第一のＳＩＲが前記メモリ手段内の前記第一のＳＩＲと予め設定された範囲内で一致していれば、この第一のＳＩＲと対となる前記第二のＳＩＲを使用して前記ＭＣＳを決定することを特徴とする請求項２記載の適応変調装置。
【請求項５】
前記ＭＣＳ決定手段は、現在の第一のＳＩＲが前記メモリ手段内の前記第一のＳＩＲと一致しない場合や前記予め設定された範囲内で一致しない場合には、現在の前記第二のＳＩＲを使用して前記ＭＣＳを決定することを特徴とする請求項３または４記載の適応変調装置。
【請求項６】
前記メモリ手段の保持履歴は新しい前記第一のＳＩＲとこの第一のＳＩＲに対応する前記第二のＳＩＲとの対により順次更新されることを特徴とする請求項２〜５いずれか記載の適応変調装置。
【請求項７】
前記ＭＣＳ決定手段は、前記干渉除去手段と前記受信手段との間の経路により生じる遅延時間に相当する時間だけ、現在の前記第一のＳＩＲを遅延する遅延手段を更に有し、この遅延されたＳＩＲとそのときの前記第二のＳＩＲとを対として前記メモリ手段へ格納するようにしたことを特徴とする請求項２〜６いずれか記載の適応変調装置。
【請求項８】
請求項１〜７いずれか記載の適応変調装置を含むことを特徴とする通信装置。
【請求項９】
移動通信システムにおける基地局であることを特徴とする請求項８記載の通信装置。
【請求項１０】
伝搬路状態に適応して送信信号の変調方式と符号化率のパラメータであるＭＣＳ（Modulation and Code Scheme）を変更して通信を行う適応変調方法であって、
受信信号から干渉を除去する複数ステージの干渉除去ステップと、
前記干渉除去ステップによる干渉除去後の信号の受信処理をなす受信ステップと、
前記干渉除去ステップの第１ステージで求められた第一のＳＩＲ（信号電力対干渉電力比）と、干渉後の受信ステップで求められた第二のＳＩＲとに基づいて前記ＭＣＳを決定するＭＣＳ決定ステップと、
を含むことを特徴とする適応変調方法。
【請求項１１】
前記ＭＣＳ決定ステップは、前記第一のＳＩＲとこの第一のＳＩＲに対応する前記第二のＳＩＲとの対を履歴としてメモリ手段に格納するステップと、現在の前記第一のＳＩＲを基に前記メモリ手段を参照して前記ＭＣＳを決定するステップとを有することを特徴とする請求項１０記載の適応変調方法。
【請求項１２】
前記ＭＣＳ決定ステップは、現在の第一のＳＩＲが前記メモリ手段内の前記第一のＳＩＲと一致した場合、この第一のＳＩＲと対となる前記第二のＳＩＲを使用して前記ＭＣＳを決定することを特徴とする請求項１１記載の適応変調方法。
【請求項１３】
前記ＭＣＳ決定ステップは、現在の第一のＳＩＲが前記メモリ手段内の前記第一のＳＩＲと予め設定された範囲内で一致していれば、この第一のＳＩＲと対となる前記第二のＳＩＲを使用して前記ＭＣＳを決定することを特徴とする請求項１１記載の適応変調方法。
【請求項１４】
前記ＭＣＳ決定ステップは、現在の第一のＳＩＲが前記メモリ手段内の前記第一のＳＩＲと一致しない場合や前記予め設定された範囲内で一致しない場合には、現在の前記第二のＳＩＲを使用して前記ＭＣＳを決定することを特徴とする請求項１２または１３記載の適応変調方法。
【請求項１５】
前記メモリ手段の保持履歴を、新しい前記第一のＳＩＲとこの第一のＳＩＲに対応する前記第二のＳＩＲとの対により順次更新するステップを、更に含むことを特徴とする請求項１１〜１４いずれか記載の適応変調方法。
【請求項１６】
前記干渉除去ステップと前記受信ステップとの間に生じる遅延時間に相当する時間だけ、現在の前記第一のＳＩＲを遅延する遅延ステップを更に含み、この遅延されたＳＩＲとそのときの前記第二のＳＩＲとを対として前記メモリ手段へ格納するようにしたことを特徴とする請求項１１〜１５いずれか記載の適応変調方法。
【発明の詳細な説明】
【技術分野】
【０００１】
本発明は適応変調装置及びその方法並びにそれを用いた通信装置に関し、特にマルチステージ干渉キャンセラ適用時に適応的に変調方式と符号化率を決定する適応変調方式に関するものである。
【背景技術】
【０００２】
移動通信システムでは、位相を変化させる位相変調方式や、振幅と位相を変化させる直交振幅変調方式があり、位相変調方式には、ＢＰＳＫ（Binary Phase Shift Keying ），ＱＰＳＫ（Quadrature PSK），８ＰＳＫなどがあり、また、直交振幅変調方式には、１６ＱＡＭ（Quadrature Amplitude Modulation ）、６４ＱＡＭなどがある。これらの変調方式においては、ＢＰＳＫ，ＱＰＳＫ，８ＰＳＫ，１６ＱＡＭ，６４ＱＡＭの順に、伝送効率が良くなる。
【０００３】
一方、伝送効率が良くなると、つまり、１シンボルで伝送可能なデータ量が増すと、マルチパスやフェージングの影響を受けやすくなるため、送信データに冗長情報を付加して、符号化率を小さくした誤り訂正符号を用いることで、受信エラーを少なくすることができる。しかしながら、符号化率が小さくなると、冗長情報が増えるために、結果的には伝送効率が悪くなってしまう。
【０００４】
そこで、受信信号から伝搬状態を推定し、良好な伝搬環境では伝送効率の良い変調方式とし、かつ、符号化率を大きくすることにより、スループットを上げ、一方で、劣悪な伝搬環境では伝送効率の悪い変調方式として、符号化率を小さくすることにより、誤りなく確実に通信を行えるようにする、という適応変調方式を採用することによって、全体的な伝送効率を上げることができる（非特許文献１参照）。
【０００５】
図６は、移動通信システムにおける基地局ＢＳと移動局ＵＥとの間の通信における上り適応変調の動作例を説明する図である。基地局ＢＳは受信した上り信号から伝搬状態を推定し、その結果から、伝搬状態に応じたＭＣＳ（Modulation and Code Scheme）を決定し、下り信号を用いて移動局ＵＥに通知する。移動局ＵＥは、基地局ＢＳから通知されたＭＣＳに従った変調方式により、上り信号を出力するようになっている。
【０００６】
更に、ＣＤＭＡ(Code Division Multiple Access）移動通信システムでは、移動局間が非同期であるために生じる拡散コード間の相互相関に起因する他の移動局からの干渉や、マルチパスによる干渉が発生し、これらの干渉が移動通信システムのチャネル容量及び伝送品質を低下させる要因となる。そのために、このような干渉を受信信号から除去し、伝搬状態推定結果、例えば、ＳＩＲ（Signal to Interference Ratio：信号電力対干渉電力比）を向上させるマルチステージ干渉キャンセラが適用される（特許文献１参照）。
【０００７】
図７は、この従来のマルチステージ干渉キャンセラを用いた適応変調装置の一構成例を示すブロック図である。マルチステージ干渉キャンセラには、パラレル型とシリアル型の２種類があるが、ここでは、パラレル型の例を示す。図７に示すように、マルチステージ干渉キャンセラは、ユーザ信号毎に干渉信号を除去するための処理が実行される、少なくとも１つのキャンセルステージ（図では、第１〜第３の３つのステージ）を備え、キャンセルステージ通過後の各ユーザ信号が、受信部１０２ａ〜１０２ｃにてそれぞれシンボル情報が生成され、復号部１０３ａ〜１０３ｃでそれぞれ復号される。また、干渉が除去され向上した伝搬状態推定結果、例えばＳＩＲを用いて適応変調を行うようになっている。
【０００８】
マルチステージ干渉キャンセラは、複数のステージ構成で、複数のユーザ信号を処理するが、図７に示すマルチステージ干渉キャンセラは、ユーザ数３、キャンセルステージ数３の例である。
【０００９】
本例は、ユーザ信号と同じ信号成分であるレプリカ信号を生成する複数のＩＣＵ（Interference Cancel Unit：干渉キャンセルユニット）１０１ａ〜１０１ｉと、受信信号を遅延させる遅延部１０４ａ〜１０４ｃと、全てのレプリカ信号を加算する第１の加算部１０５ａ〜１０５ｃと、遅延された受信信号から第１の加算部１０５ａ〜１０５ｃの出力信号を減算する減算部１０６ａ〜１０６ｃと、減算部１０６ａ〜１０６ｃの出力信号とレプリカ信号をそれぞれ加算する第２の加算部１０７ａ〜１０７ｉと、第２の加算部１０７ｇ〜１０７ｉの出力信号からシンボル信号の生成とＳＩＲを求める受信部１０２ａ〜１０２ｃと、受信部１０２ａ〜１０２ｃから出力されるシンボル信号を復号する復号部１０３ａ〜１０３ｃと、受信部１０２ａ〜１０２ｃで求めたＳＩＲからＭＣＳを決定するＭＣＳ決定部１２０ａ〜１２０ｃと、ＭＣＳ決定部１２０ａ〜１２０ｃで決定したＭＣＳを移動局に通知するための下り送信部１１４ａ〜１１４ｃとを有する。
【００１０】
第１ステージは、ＩＣＵ１０１ａ〜１０１ｃ、遅延部１０４ａ、第１の加算部１０５ａ、減算部１０６ａ、第２の加算部１０７ａ〜１０７ｃにより構成される。また、第２ステージは、ＩＣＵ１０１ｄ〜１０１ｆ、遅延部１０４ｂ、第１の加算部１０５ｂ、減算部１０６ｂ、第２の加算部１０７ｄ〜１０７ｆにより構成される。更に、第３ステージはＩＣＵ１０１ｇ〜１０１ｉ、遅延部１０４ｃ、第１の加算部１０５ｃ、減算部１０６ｃ、第２の加算部１０７ｇ〜１０７ｉにより構成される。
【００１１】
かかる構成において、第１ステージでは、並列に接続された複数のＩＣＵ１０１ａ〜１０１ｃを用いて受信信号から各ユーザ信号のレプリカ信号が生成され、それぞれのレプリカ信号が第１の加算部１０５ａで合成される。合成されたレプリカ信号は減算部１０６ａに入力され、減算部１０６ａは遅延部１０４ａで遅延された受信信号から合成されたレプリカ信号を差し引く。この減算部１０６ａの出力信号は受信信号から全ユーザのレプリカ信号を除いた残差信号となる。
【００１２】
残差信号に対して、第２の加算部１０７ａ〜１０７ｃによりユーザ毎のレプリカ信号がそれぞれ加算され、第２の加算部１０７ａ〜１０７ｃからは他ユーザ信号が除かれたユーザ毎の信号が出力される。
【００１３】
以降、第２の加算部１０７ａ〜１０７ｃの出力信号に対して第２ステージで同様の処理がそれぞれ実行され、第２ステージの第２の加算部１０７ｄ〜１０７ｆの出力信号に対して第３ステージで同様の処理がそれぞれ実行され、第２の加算部１０７ｇ〜１０７ｉの出力信号が受信部１０２ａ〜１０２ｃに入力され、受信部１０２ａ〜１０２ｃで生成されたシンボル情報が復号部１０３ａ〜１０３ｃに入力され、復号部１０３ａ〜１０３ｃで復号信号が得られる。
【００１４】
更に、ＭＣＳ決定部１２０ａは、受信部１０２ａで求めたＳＩＲを用いてＭＣＳを決定し、決定したＭＣＳを下り送信部１１４ａに通知し、下り送信部１１４ａは通知されたＭＣＳを移動局に通知する。同様に、ＭＣＳ決定部１２０ｂは受信部１０２ｂで求めたＳＩＲを用いてＭＣＳを決定し、決定したＭＣＳを下り送信部１１４ｂに通知し、ＭＣＳ決定部１２０ｃは受信部１０２ｃで求めたＳＩＲを用いてＭＣＳを決定し、決定したＭＣＳを下り送信部１１４ｃに通知し、下り送信部１１４ｂ〜１１４ｃは通知されたＭＣＳを移動局に通知する。
【００１５】
【特許文献１】特開２０００−１３３６０号公報
【非特許文献１】電子情報通信学会  信学技法RCS2003-36(2003-05) p.39「適応変調を用いたＭＣ−ＣＤＭＡ通信システムに関する検討」
【非特許文献２】立川敬二著、「Ｗ−ＣＤＭＡ移動通信方式」、丸善（株）、ｐ．５６−５９
【発明の開示】
【発明が解決しようとする課題】
【００１６】
無線通信システムにおいて、上述したマルチステージ干渉キャンセラと適応変調を適用した場合、干渉キャンセル後の受信部で求まる伝搬状態推定結果、例えば、信号電力対干渉電力比（ＳＩＲ）を使用してＭＣＳを決定する場合、伝搬状況に追従しにくくなるため、伝送効率が悪くなるという欠点がある。
【００１７】
その理由は、適応変調方式では、伝搬状態が変わらない間にＭＣＳを決定して送信するのが理想的であるが、マルチステージ干渉キャンセラは、各ステージに逆拡散などの処理があり、ステージ数が増えるほど処理遅延が大きくなり、干渉キャンセル後のＳＩＲを使用すると、ＭＣＳを決定するまでに多くの時間を要し、その間に伝搬状況が変化してしまうためである。
【００１８】
本発明は上記の点に鑑みなされたものであって、その目的とするところは、マルチステージ干渉キャンセラを適用した無線通信システムにおいて、伝搬状況の追従性を良くすることにより伝送効率を改善することが可能な適応変調装置及びその方法並びにそれを用いた通信装置を提供することにある。
【課題を解決するための手段】
【００１９】
本発明による適応変調装置は、伝搬路状態に適応して送信信号の変調方式と符号化率のパラメータであるＭＣＳを変更して通信を行う適応変調装置であって、受信信号から干渉を除去する複数ステージの干渉除去手段と、前記干渉除去手段による干渉除去後の信号の受信処理をなす受信手段と、前記干渉除去手段の第１ステージで求められた第一のＳＩＲ（信号電力対干渉電力比）と、干渉後の受信部で求められた第二のＳＩＲとに基づいて前記ＭＣＳを決定するＭＣＳ決定手段とを含むことを特徴とする。
【００２０】
また、本発明による通信装置は、上記の適応変調装置を用いたことを特徴とする。
【００２１】
更に、本発明による適応変調方法は、伝搬路状態に適応して送信信号の変調方式と符号化率のパラメータであるＭＣＳを変更して通信を行う適応変調方法であって、受信信号から干渉を除去する複数ステージの干渉除去ステップと、前記干渉除去ステップによる干渉除去後の信号の受信処理をなす受信ステップと、前記干渉除去ステップの第１ステージで求められた第一のＳＩＲ（信号電力対干渉電力比）と、干渉後の受信ステップで求められた第二のＳＩＲとに基づいて前記ＭＣＳを決定するＭＣＳ決定ステップとを含むことを特徴とする。
【００２２】
本発明の作用を述べる。受信信号から干渉を除去する複数ステージの干渉除去部における第一ステージでの最新の第一のＳＩＲが、メモリにＳＩＲ履歴として格納されている過去の第一のＳＩＲに一致した場合や予め定められた範囲内で一致した場合には、この一致した第一のＳＩＲに対応する受信部での過去の第二のＳＩＲを用いてＭＣＳを決定するようにしている。これにより、上記目的を達成できる。
【発明の効果】
【００２３】
本発明による効果は、ＭＣＳを決定するまでの時間が短くなり、伝搬状況の追従性が良くなるために、伝送効率が改善することである。その理由は、過去に求めた第１ステージのＳＩＲと干渉キャンセル後の受信部のＳＩＲを履歴として保持、利用することにより、干渉キャンセル処理後の受信部のＳＩＲの出力を待つことなく、短時間にＭＣＳを決定できるようにしたからである。
【発明を実施するための最良の形態】
【００２４】
次に、本発明の実施の形態について図面を参照して詳細に説明する。図１は本発明の実施の形態のブロック図であり、図７と同等部分は同一符号により示しており、本実施の形態は、ユーザ数３、キャンセルステージ数３の干渉キャンセラを備えた上り適応変調装置の例である。
【００２５】
図１を参照すると、ユーザ信号と同じ信号成分であるレプリカ信号を生成し、かつ伝搬状態を推定すると共に、ＳＩＲを求める複数のＩＣＵ１０１ａ〜１０１ｉと、受信信号を遅延させる遅延部１０４ａ〜１０４ｃと、全てのレプリカ信号を加算する第１の加算部１０５ａ〜１０５ｃと、遅延された受信信号から第１の加算部１０５ａ〜１０５ｃの出力信号を減算する減算部１０６ａ〜１０６ｃと、減算部１０６ａ〜１０６ｃの出力信号とレプリカ信号をそれぞれ加算する第２の加算部１０７ａ〜１０７ｉと、第２の加算部１０７ｇ〜１０７ｉの出力信号からシンボル信号の生成とＳＩＲを求める受信部１０２ａ〜１０２ｃとにより構成されている。
【００２６】
第１ステージは、ＩＣＵ１０１ａ〜１０１ｃ、遅延部１０４ａ、第１の加算部１０５ａ、減算部１０６ａ、第２の加算部１０７ａ〜１０７ｃにより構成されている。また、第２ステージは、ＩＣＵ１０１ｄ〜１０１ｆ、遅延部１０４ｂ、第１の加算部１０５ｂ、減算部１０６ｂ、第２の加算部１０７ｄ〜１０７ｆにより構成されている。更に、第３ステージは、ＩＣＵ１０１ｇ〜１０１ｉ、遅延部１０４ｃ、第１の加算部１０５ｃ、減算部１０６ｃ、第２の加算部１０７ｇ〜１０７ｉにより構成されている。
【００２７】
また、ＩＣＵ１０４ａ〜ＩＣＵ１０４ｃと受信部１０２ａ〜１０２ｃとによりで求めたＳＩＲを用いて、ユーザ毎のＭＣＳを決定するＭＣＳ決定部１２０ａ〜１２０ｃと、ＭＣＳ決定部１２０ａ〜１２０ｃで決定したＭＣＳを移動局に通知するための下り送信部１１４ａ〜１１４ｃとを有する構成である。
【００２８】
ＭＣＳ決定部１２０ａ〜１２０ｃは全て同一構成であり、図においては、簡単化のために、ＭＣＳ決定部１２０ａの構成についてのみ示している。ＩＣＵ１０１ａ〜ＩＣＵ１０１ｃのいずれかから出力される第１ステージのＳＩＲ（ＳＩＲ１）を遅延させる遅延部１１０と、遅延部１１０で遅延されたＳＩＲ１と受信部１０２ａ〜１０２ｃのいずれかから出力されるＳＩＲ（ＳＩＲ２）をメモリ１１５に書込むメモリ制御部１１１と、メモリ制御部１１１から書込まれたＳＩＲ１及びＳＩＲ２を保持するメモリ１１５と、ＳＩＲ１及びＳＩＲ２とメモリ１１５で保持されているＳＩＲ１ａ及びＳＩＲ２ａとを用いて、ＭＣＳ決定処理部１１３に出力するＳＩＲを選択するＳＩＲ選択部１１２と、ＳＩＲ選択部１１２から出力されるＳＩＲを用いてＭＣＳを決定し、決定したＭＣＳを下り送信部１１４ａ〜１１４ｃのいずれかに出力するＭＣＳ決定処理部１１３とを有する構成である。
【００２９】
図２は図１に示すＩＣＵ１０１ａ〜１０１ｃの構成図である。図２に示すように、受信信号を逆拡散する逆拡散部２１ａ〜２１ｃと、逆拡散部２１ａ〜２１ｃで逆拡散された信号をレイク合成するレイク合成部２２と、レイク合成部２２の出力信号からＳＩＲを測定するＳＩＲ測定部２３と、レイク合成部２２の出力信号からシンボル信号を生成する判定部２４と、判定部２４から出力されるシンボル信号をパス毎に再拡散する再拡散部２５ａ〜２５ｃと、再拡散されたパス毎の信号を全て合成する合成部２６とを有する構成である。ＳＩＲ測定部２３で求められたＳＩＲは、図１の遅延部１１０とＳＩＲ選択部１１２に出力される（ＳＩＲ１）。
【００３０】
逆拡散部２１ａ〜２１ｃと、再拡散部２５ａ〜２５ｃは受信遅延波数すなわちパス数に応じて複数設けられ、図２では３パス分を並列に設けた例を示している。逆拡散部２１ａ〜２１ｃは、１パスの分の逆拡散を行う逆拡散処理部２１−１と、伝送路推定部２１−２と、乗算部２１−３とを有する構成である。逆拡散処理部２１−１は、複数ある受信遅延波のうち、１波分の逆拡散を行う。伝送路推定部２１−２は、例えば、上記非特許文献２に記載された方法に基づいて、伝送路推定値ξを算出する。
【００３１】
乗算部２１−３は、逆拡散処理部２１−１の出力信号と伝送路推定部２１−２で求めた伝送路推定値ξの複素共役ξ＊とを掛け合わせることにより、位相補正を行う。再拡散部２５ａ〜２５ｃは、それぞれ１波分の再拡散を行う。判定部２４から出力されるシンボル信号と、伝送路推定部２１−２から出力される伝送路推定値ξをかける乗算部２５−２と、乗算部２５−２の出力信号を再拡散する再拡散処理部２５−２とで構成される。
【００３２】
図３は図１に示す受信部１０２ａ〜１０２ｃの構成である。図３に示すように、入力信号を逆拡散する逆拡散部３１ａ〜３１ｃと、逆拡散部３１ａ〜３１ｃで逆拡散された信号をレイク合成するレイク合成部３２と、レイク合成部３２の出力信号からＳＩＲを測定するＳＩＲ測定部３３とを有する構成である。
【００３３】
ＳＩＲ測定部３３で求められたＳＩＲは図１のメモリ１１１に出力される（ＳＩＲ２）。逆拡散部３１ａ〜３１ｃは、図２の逆拡散部２１ａ〜２１ｃと同様の構成である。また、レイク合成部３２の出力信号は復号部１０３ａ〜１０３ｃのいずれかに出力される。
【００３４】
図４は、ＩＣＵ１０１ａ〜１０１ｃと受信部１０２ａ〜１０２ｃが処理しているフレーム番号の関係を示しており、ＩＣＵ１０１ａ〜１０１ｃに比べて、受信部１０１ａ〜１０１ｃが４フレーム遅れで処理している例である。
【００３５】
次に、本実施の形態の動作について詳細に説明する。ＭＣＳ決定部１２０ａ〜１２０ｃに入力されたＳＩＲ１は、ＳＩＲ選択部１１２と遅延部１１０とに入力される。図４の例に示したように、ＩＣＵ１０１ａ〜１０１ｃから受信部１０２ａ〜１０２ｃまでの経路間には処理遅延が生じるため、遅延部１１０は、ＳＩＲ１が同じ受信信号から求めたＳＩＲ２に対応するように、受信部１０２ａで求めたＳＩＲ２が出力されるまでの時間分だけＳＩＲ１を遅延させてメモリ制御部１１１に出力する。
【００３６】
図４の例では、ＩＣＵ１０１ａ〜１０１ｃで処理しているフレーム番号に比べて、受信部１０２ａ〜１０２ｃが処理しているフレーム番号が４フレームほど遅れているため、遅延部１１０はＳＩＲ１を４フレーム遅延させる。また、ＭＣＳ決定部１２０ａ〜１２０ｃに入力されたＳＩＲ２は、メモリ制御部１１１とＳＩＲ選択部１１２に分配される。
【００３７】
メモリ制御部１１１は、ＳＩＲ２と遅延部１１０で遅延されたＳＩＲ１とをメモリ１１５に書込む。このとき、メモリ１１５に保持させるＳＩＲ１とＳＩＲ２との最大数量を予め決めてメモリ１１５に書込む。メモリ１１５に保持させるＳＩＲ１とＳＩＲ２との最大数量は任意に変更できる。なお、メモリ１１５が保持しているＳＩＲ１，ＳＩＲ２をそれぞれＳＩＲ１ａ，ＳＩＲ２ａとする。
【００３８】
メモリ制御部１１１は、メモリ１１５が保持しているＳＩＲ１ａとＳＩＲ２ａとの数量が予め決められた最大数量に達していた場合、メモリ１１５内の最も古いＳＩＲ１ａとＳＩＲ２ａとを削除した後、遅延部１１０で遅延されたＳＩＲ１とＳＩＲ２とをメモリ１１５に書込む。
【００３９】
ＳＩＲ選択部１１２は、メモリ１１５内に保持されている全てのＳＩＲ１ａの中から、入力されたＳＩＲ１と一致するＳＩＲ１ａを検索する。メモリ１１５にＳＩＲ１と一致するＳＩＲ１ａが存在した場合には、一致したＳＩＲ１ａと同じ受信信号から求めたＳＩＲ２ａをＭＣＳ決定処理部１１３に出力する。
【００４０】
一方、メモリ１１５にＳＩＲ１と一致するＳＩＲ１ａが存在しなかった場合には、現時刻のＳＩＲ２をＭＣＳ決定処理部１１３に出力する。ＭＣＳ決定処理部１１３は、ＳＩＲ選択部１１２から通知されるＳＩＲを用いてＭＣＳを決定し、下り送信部１１４ａ〜１１４ｃのいずれかに決定したＭＣＳを通知する。
【００４１】
次に、ＳＩＲ選択部１１２の具体的な動作例を示す。図５は、メモリ１１５において、ＳＩＲ１ａとＳＩＲ２ａの各最大数量を１０とした場合の、メモリ１１５が保持している１０フレーム分のＳＩＲ１ａとＳＩＲ２ａとの例である。
【００４２】
一番上が最も古いＳＩＲ１ａとＳＩＲ２ａであり、下にいくほど新しくなる。また、各行のＳＩＲ１ａとＳＩＲ２ａとは同じ受信信号から求めたＳＩＲ値である。この状態で、ＳＩＲ選択部１１２の動作を下記（１）〜（３）に場合分けして説明する。
【００４３】
（１）ＳＩＲ１がメモリ１１５内の一つのＳＩＲ１ａと一致した場合：
例えば、ＳＩＲ１＝７．９ｄＢの場合、メモリ１１５内には一致するＳＩＲ１ａが存在する。この場合、ＳＩＲ選択部１１２は、ＳＩＲ２ａ＝９．５ｄＢをＭＣＳ決定処理部１１３に出力する。
【００４４】
（２）ＳＩＲ１がメモリ１１５内の複数のＳＩＲ１ａと一致する場合：
例えば、ＳＩＲ１＝１０．３ｄＢの場合、メモリ１１５内には一致するＳＩＲ１ａが３つ存在する。この場合、予め設定した選択方法に基づいてＳＩＲ２ａを選択する。例えば、最も新しいＳＩＲ２ａを選択するように設定されている場合は、ＳＩＲ２ａ＝１２．０ｄＢをＭＣＳ決定処理部１１３に出力する。
【００４５】
（３）ＳＩＲ１がメモリ１１５内のＳＩＲ１ａと一致しなかった場合：
例えば、ＳＩＲ１＝１２．３ｄＢの場合、メモリ１１５内には一致するＳＩＲ１ａが存在しないので、ＳＩＲ選択部１１２は、現時刻のＳＩＲ２をＭＣＳ決定処理部１１３に出力する。
【００４６】
他の変形例として、ＳＩＲ選択部１１２が、ＳＩＲ１と一致するＳＩＲ１ａがメモリ１１５に存在するかを検索する際に、一致と判定する範囲を設定し、その範囲内であれば一致と判定する。例えば、ＳＩＲの整数部が一致していれば、一致と判定するようにすることもできる。
【図面の簡単な説明】
【００４７】
【図１】本発明の実施の形態の構成を示すブロック図である。
【図２】図１のＩＣＵの構成を示すブロック図である。
【図３】図１の受信部の構成を示すブロック図である。
【図４】図１のブロックの動作を説明するための図である。
【図５】図１のメモリ１１５に保持されているデータの例を示す図である。
【図６】適応変調方式を採用した移動通信システムの概略構成を示すブロック図である。
【図７】マルチステージ干渉キャンセラと適応変調方式の従来の構成を示すブロック図である。
【符号の説明】
【００４８】
１０１ａ〜１０１ｉ  ＩＣＵ（干渉キャンセルユニット）
１０２ａ〜１０２ｃ  受信部
１０３ａ〜１０３ｃ  復号部
１０４ａ〜１０４ｃ，１１０  遅延部
１０５ａ〜１０５ｃ，１０７ａ〜１０７ｉ  加算部
１０６ａ〜１０６ｃ  減算部
１１１  メモリ制御部
１１２  ＳＩＲ選択部
１１３  ＭＣＳ決定処理部
１１４ａ〜１１４ｃ  下り送信部
１１５  メモリ
１２０ａ〜１２０ｃ  ＭＣＳ決定部
【図１】
2006211063.tif 000003
【図２】
2006211063.tif 000004
【図３】
2006211063.tif 000005
【図４】
2006211063.tif 000006
【図５】
2006211063.tif 000007
【図６】
2006211063.tif 000008
【図７】
2006211063.tif 000009